(57)【要約】【課題】身体をしっかり固定できると共に要介助者が快適に使用できる身体固定具を提供する。【解決手段】身体固定具４０は、人を載せる機能を備える介護器具１に身体を固定するために使用される。身体固定具４０は、伸縮性を有するネット４１で形成されている。ネット４１には、介護器具１に設けられる取付部１３２１、１３２２と係合する係合部４２ａ、４２ｂが設けられてよい。【選択図】図６
2017006507.tif 000002
【特許請求の範囲】
【請求項１】
人を載せる機能を備える介護器具に身体を固定するための身体固定具であって、
伸縮性を有するネットで形成されていることを特徴とする身体固定具。
【請求項２】
前記ネットには、前記介護器具に設けられる取付部と係合する係合部が設けられていることを特徴とする請求項１に記載の身体固定具。
【請求項３】
前記介護器具に着脱可能であることを特徴とする請求項１又は２に記載の身体固定具。
【請求項４】
前記介護器具は、入浴用に使用される入浴器具であることを特徴とする請求項１から３のいずれか１項に記載の身体固定具。
【請求項５】
人を載せる支持部と、
請求項１から４のいずれか１項に記載に身体固定具と、
を備えることを特徴とする介護器具。
【請求項６】
前記身体固定具を取り付ける取付部を複数備え、
前記身体固定具の取付状態を複数のパターンに変更可能であることを特徴とする請求項５に記載の介護器具。
【請求項７】
前記支持部に載る人を挟むように設けられる一対のフェンスを備え、
前記身体固定具を取り付ける取付部が前記一対のフェンスに設けられていることを特徴とする請求項５又は６に記載の介護器具。
【発明の詳細な説明】
【技術分野】
【０００１】
本発明は、身体固定具及び介護器具に関する。
【背景技術】
【０００２】
従来、担架等の人を載せる機能を備える介護器具に、病人、老人、身体障害者等の介助が必要な者（要介助者）を載せる際に、安全面を考慮して、身体固定具を用いて要介助者の身体を介護器具に固定している（例えば特許文献１参照）。例えば、特許文献１においては、バンドを用いて要介助者の身体部を入浴用担架に固定する構成が開示されている。
【０００３】
図７は、従来の、入浴用担架１００に適用される身体固定具２００の一例を示す模式図である。図７には、理解を容易とするために、入浴用担架１００に載る要介助者Ｍも示されている。図７に示すように、身体固定具２００は、入浴用担架１００に取り付けられる一対のベルト２０１ａ、２０１ｂと、一対のベルト２０１ａ、２０１ｂを締結するバックル２０２と、要介助者Ｍの体格に合わせて固定に必要なベルト２０１ａの長さを調節するアジャスター２０３と、ベルト２０１ａに装着されるパッド２０４と、を備えている。パッド２０４は、身体固定具２００の皮膚への当たりを軽減するために設けられている。
【０００４】
身体固定具２００を用いて入浴用担架１００に要介助者Ｍを固定する手順は、例えば次のようになる。まず、アジャスター２０３を用いて大きな要介助者Ｍにも適用できるように、ベルト２０１ａの長さを長めに調節しておく。その後、要介助者Ｍを入浴用担架１００上に載せ、パッド２０４の位置を要介助者Ｍの体格に合わせて調節する。そして、バックル２０２を用いて一対のベルト２０１ａ、２０１ｂを締結し、アジャスター２０３を用いて要介助者Ｍの体格に合わせて固定に必要なベルト２０１ａの長さを調節する。これにより、要介助者Ｍは、入浴用担架１００に固定される。
【先行技術文献】
【特許文献】
【０００５】
【特許文献１】特開２００９−１９５５３６号公報
【発明の概要】
【発明が解決しようとする課題】
【０００６】
上述のベルト形式の身体固定具においては、例えば要介助者の圧迫感等を考慮して、ベルトの幅（保持面積）は小さくされる。このため、ベルトが当たっている部分に大きな力が加わり、要介助者の皮膚への負担が大きくなる可能性がある。皮膚への当たりを軽減するためにパッドが使用されるが、このパッドの位置調節が介助者にとって不便に感じられることが懸念される。また、ベルトの幅を小さくする関係で、複数の身体固定具を導入して、要介助者を固定（保持）するための力をかせぐ必要がある。
【０００７】
また、要介助者の体格差を考慮して、ベルトの長さは、ある程度長くしておく必要がある。このために、要介助者が小柄である場合、ベルトの固定に使われない部分の量が多くなってしまう。ベルトの固定に使われない部分は、作業の邪魔にならないように処理しておく必要があり、当該処理が介助者に負担に感じられる場合がある。
【０００８】
更に、介護施設等で使用される入浴用担架は、個人専用で使われることは殆どない。すなわち、入浴用担架は、複数人が交代で使用するのが通常である。このような状況下で、一枚布状に形成されて吸水性の高いベルトを身体固定具として使用すると、二番目以降に入浴用担架を使う者が、濡れたベルトに対して不快感を抱く可能性がある。
【０００９】
以上の点に鑑みて、本発明の目的は、身体をしっかり固定できると共に要介助者が快適に使用できる身体固定具を提供することである。また、本発明の他の目的は、介助者への負担を軽減できる身体固定具を提供することである。また、本発明の更なる他の目的は、要介助者及び介助者が快適に使用できる介護器具を提供することである。
【課題を解決するための手段】
【００１０】
上記目的を達成するために本発明の身体固定具は、人を載せる機能を備える介護器具に身体を固定するための身体固定具であって、伸縮性を有するネットで形成されている構成（第１の構成）になっている。
【００１１】
本構成の身体固定具は、伸縮性を有するネットで形成されているために、身体の当たりを分散し易く、また、圧迫感を少なくできる。このために、本構成の身体固定具は、身体を固定される者（要介助者）に不快感を与えずに、そのサイズを大きくし易い。そして、本構成の身体固定具は、サイズを大きくできるために、身体を広い範囲で包み込んで安定して固定できる。また、本構成の身体固定具は、ネットで形成されているために、従来のベルト式の身体固定具等に比べて吸水性を下げて乾きやすくできる。また、本構成の身体固定具を用いれば、従来必要であったパッドの位置調節やベルトの長さ調節が不要となるために、介助者の負担を軽減できる。
【００１２】
上記第１の構成の身体固定具において、前記ネットには、前記介護器具に設けられる取付部と係合する係合部が設けられている構成（第２の構成）であってよい。本構成によれば、ネットで構成される身体固定具を、確実、且つ、簡便に介護器具に固定することが可能になる。
【００１３】
上記第１又は第２の構成の身体固定具は、前記介護器具に着脱可能である（第３の構成）のが好ましい。本構成によれば、例えば複数の要介助者の間で介護器具が交代で使用される場合等に、使用者に応じて身体固定具を適宜取り替えることが可能になる。また、本構成によれば、身体固定具を介護器具から取り外して、洗浄したり、乾かしたりすることも可能になる。
【００１４】
上記第１から第３のいずれかの構成の身体固定具において、前記介護器具は、入浴用に使用される入浴器具であってよい（第４の構成）。入浴器具としては、例えば、入浴用担架、入浴用車椅子、入浴用ストレッチャー、シャワーチェア等が挙げられる。
【００１５】
また、上記目的を達成するために本発明の介護器具は、人を載せる支持部と、上記第１から４のいずれかに記載に身体固定具と、を備える構成（第５の構成）になっている。
【００１６】
本構成の介護器具は、上記構成の身体固定具を備えているために、要介助者及び介助者にとって便利な介護器具を提供できる。
【００１７】
上記第５の構成の介護器具は、前記身体固定具を取り付ける取付部を複数備え、前記身体固定具の取付状態を複数のパターンに変更可能である構成（第６の構成）であるのが好ましい。本構成によれば、要介助者の体格の違いに対応し易い介護器具を提供できる。また、本構成によれば、身体固定具の使い勝手が良い介護器具を提供できる。
【００１８】
上記第５又は第６の構成の介護器具は、前記支持部に載る人を挟むように設けられる一対のフェンスを備え、前記身体固定具を取り付ける取付部が前記一対のフェンスに設けられている構成（第７の構成）であってよい。本構成によれば、ネットで構成される身体固定具の幅を広くして、要介助者の固定をしっかり行い易い。
【発明の効果】
【００１９】
本発明によれば、身体をしっかり固定できると共に要介助者が快適に使用できる身体固定具を提供できる。また、本発明によれば、介助者への負担を軽減できる身体固定具を提供できる。また、本発明によれば、要介助者及び介助者が快適に使用できる介護器具を提供できる。
【図面の簡単な説明】
【００２０】
【図１】本発明の実施形態に係る介護器具の構成を示す概略平面図
【図２】本発明の実施形態に係る介護器具（入浴用担架）の使用例について説明するための模式図
【図３】本発明の実施形態に係る身体固定具の構成を示す概略平面図
【図４】本発明の実施形態に係る介護器具（入浴用担架）が備える第２フェンスの構成を示す概略図
【図５】本発明の実施形態に係る身体固定具の、介護器具に対する第１の取り付け例を示す模式図
【図６】本発明の実施形態に係る身体固定具の、介護器具に対する第２の取り付け例を示す模式図
【図７】従来の、入浴用担架に適用される身体固定具の一例を示す模式図
【発明を実施するための形態】
【００２１】
以下、本発明の実施形態に係る身体固定具及び介護器具について、図面を参照しながら詳細に説明する。
【００２２】
図１は、本発明の実施形態に係る介護器具１の構成を示す概略平面図である。図１（ａ）は、介護器具１を上から見た図である。図１（ｂ）は、介護器具１を側面から見た図である。本発明の実施形態に係る介護器具１は、例えば要介助者を仰臥位で浴槽の湯に浸からせる場合等に使用される入浴用担架である。
【００２３】
入浴用担架１は、図１に示されるように、担架マット１１が載置される本体フレーム１０を備えている。担架マット１１を含む本体フレーム１０は、本発明の人を載せる支持部の一例である。本体フレーム１０の長手方向（図１の左右方向）の一端部には、担架マット１１上で臥位となる要介助者が頭を載せるための枕１２が取り付けられている。
【００２４】
また、本体フレーム１０の短手方向（図１の上下方向）の両端部には、担架マット１１上に載る要介助者の転落を防止するフェンス１３が取り付けられている。フェンス１３は、詳細には、上半身側に設けられる左右の第１フェンス１３１ａ、１３１ｂと、下半身側に設けられる左右の第２フェンス１３２ａ、１３２ｂと、を備えている。第１フェンス１３１ａ、１３１ｂ、及び、第２フェンス１３２ａ、１３２ｂは、いずれも、本体フレーム１０に回動可能に取り付けられている。
【００２５】
各フェンス１３１ａ、１３１ｂ、１３２ａ、１３２ｂは、回動により、担架マット１１上に載る要介助者の転落を防止する第１の状態と、転落防止機能は発揮せず、要介助者の移乗に便利な第２の状態と、に切り換えられるようになっている。図１は、各フェンス１３１ａ、１３１ｂ、１３２ａ、１３２ｂが第１の状態である場合を示している。各フェンス１３１ａ、１３１ｂ、１３２ａ、１３２ｂを第１の状態から外側に向けて倒す（回動させる）ことによって第２の状態が得られる。
【００２６】
なお、本実施形態では、左右のフェンスをそれぞれ２つに分離しているが、このような構成は一例にすぎない。例えば、左右のフェンスは、分離せずに、それぞれ１つとしても良い。また、場合によっては、左右のフェンスは、それぞれ、３つ以上に分離されても構わない。
【００２７】
図２は、本発明の実施形態に係る介護器具１（入浴用担架）の使用例について説明するための模式図である。図２は、上から見た場合を想定した図である。図２の（ａ）、（ｂ）の順に、要介助者を浴槽の湯に浸からせる手順が進む。
【００２８】
まず、入浴用担架１は、車輪を有する台車部２０上に載せられる。入浴用担架１を載せた台車部２０がベッドや洗身台等に近づけられ、要介助者が入浴用担架１上に移乗される。ベッド等から入浴用担架１に要介助者を移乗する際には、フェンス１３の状態（上述の第１の状態と第２の状態）が適宜変更される。入浴用担架１は、要介助者が載せられると、台車部２０に載せられた状態で、浴槽を備える浴槽装置３０に横付けされる（図２（ａ）参照）。この際、台車部２０は、浴槽装置３０に連結される。
【００２９】
なお、入浴用担架１上に載せられた要介助者は、例えば、ベッドから入浴用担架１に移乗された時点や、入浴用担架１が浴槽装置３０に横付けされた時点等に、身体固定具によって入浴用担架１に固定される。身体固定具の詳細については後述する。
【００３０】
台車部２０が浴槽装置３０に連結されると、入浴用担架１が、台車部２０から浴槽装置３０に設けられる担架支持台３１上に移動される（図２（ｂ）参照）。なお、図２に示されるように、台車部２０及び担架支持台３１には、それぞれレール２１、３２が設けられている。入浴用担架１の下面には、ローラー１４が取り付けられており（図１（ｂ）参照）、当該ローラー１４がレール２１、３２上を転がることによって、入浴用担架１は台車部２０と担架支持台３１との間を移動する。
【００３１】
入浴用担架１が担架支持台３１上に移動されると（図２（ｂ）の状態）、昇降式の浴槽が上昇（担架支持台３１に対して上昇）されて、入浴用担架１上に載る要介助者は、浴槽内の湯に浸かることができる。要介助者は、詳細は後述する身体固定具によって入浴用担架１に固定されているために、入浴中に担架１から脱落する可能性が低い。
【００３２】
上述のように、入浴用担架１は、要介助者を当該担架１に固定するための身体固定具を備えている。以下、当該身体固定具及びそれに関わる入浴用担架１の構造について詳細に説明する。
【００３３】
図３は、本発明の実施形態に係る身体固定具４０の構成を示す概略平面図である。身体固定具４０は、伸縮性を有するネット（網）４１と、ネット４１の対向する端部に設けられる一対の棒状部材４２ａ、４２ｂと、を備えている。平面視略矩形状に設けられるネット４１は、天然繊維や合成繊維等によって構成できる。ネット４１の伸縮性は、ネット４１を構成する素材、及び／又は、編み方によって得ることができる。
【００３４】
一対の棒状部材４２ａ、４２ｂの形状は、特に限定されるものではないが、本実施形態では丸棒としている。また、一対の棒状部材４２ａ、４２ｂは、互いに同一の長さ及び太さになっている。棒状部材４２ａ、４２ｂは、特に限定されるものではないが、例えば金属、樹脂、木片等で構成できる。なお、一対の棒状部材４２ａ、４２ｂは、本発明の係合部の一例である。ネット４１と一対の棒状部材４２ａ、４２ｂとの接続は、単にネット４１の端部を棒状部材４２ａ、４２ｂの端部に結び付ける構造でもよいし、留め具や接着剤等を用いる構造であっても構わない。
【００３５】
以上のように構成される身体固定具４０は、入浴用担架１の第２フェンス１３２ａ、１３２ｂに着脱可能になっている。左右の第２フェンス１３２ａ、１３２ｂの構造は同じであるために、以下では、左の第２フェンス１３２ａ（以下、単に第２フェンス１３２ａと記載することがある）の構造を例に挙げて説明する。なお、左右の第２フェンス１３２ａ、１３２ｂは、本発明の、支持部に載る人を挟むように設けられる一対のフェンスの一例である。
【００３６】
図４は、本発明の実施形態に係る介護器具１（入浴用担架）が備える第２フェンス１３２ａの構成を示す概略図である。図４（ａ）は、第２フェンス１３２ａを内面側（要介助者が載る側）から見た概略側面図である。図４（ｂ）は、図４（ａ）のＡ−Ａ位置における概略断面図である。図４（ｃ）は、第２フェンス１３２ａと棒状部材４２ａ、４２ｂとの関係を説明するための模式図である。
【００３７】
第２フェンス１３２ａには、身体固定具４０の棒状部材４２ａ、４２ｂが取り付けられる上取付部１３２１と下取付部１３２２とが設けられている。上取付部１３２１と下取付部１３２２とは、いずれも細長い溝状の構造を有しており、その形状及びサイズは同じになっている。上取付部１３２１と下取付部１３２２とが第２フェンス１３２ａに設けられる位置については、高さ方向（図４（ａ）の上下方向）の位置は異なるが、長手方向（図４（ａ）の左右方向）の位置は同じになっている。
【００３８】
図４（ｂ）に示すように、上取付部１３２１（下取付部１３２２も同じ）は、断面視略Ｃ字状に形成されている。上取付部１３２１の開口幅Ｗは、棒状部材４２ａ、４２ｂの直径Ｒよりも若干小さくなっている（図４（ｃ）参照）。ただし、開口幅Ｗは、棒状部材４２ａ、４２ｂを溝（上取付部１３２１）に押し付けることによって、棒状部材４２ａ、４２ｂが溝に嵌り込む程度のサイズとなっている。また、開口幅Ｗが棒状部材４２ａ、４２ｂの直径Ｒよりも若干小さく設けられているために、溝に嵌り込んだ棒状部材４２ａ、４２ｂは簡単に抜けない構造になっている。
【００３９】
なお、本実施形態では、上取付部１３２１（下取付部１３２２も同じ）の長さＬは、棒状部材４２ａ、４２ｂの長さより長くなっている。これによりできる隙間（長手方向にできる隙間）を利用して、上取付部１３２１に嵌め込まれた棒状部材４２ａ、４２ｂは取り外し易くなっている。また、本実施形態では、左右の第２フェンス１３２ａ、１３２ｂは、中空形状になっているが、これは一例にすぎず、これらは中空形状でなくてもよい。また、棒状部材４２ａ、４２ｂに取り付けられるネット４１の結び目等が存在する場合には、当該結び目等を考慮して、上取付部１３２１及び下取付部１３２２の形状を適宜変更して構わない。
【００４０】
また、本実施形態のように、棒状部材４２ａ、４２ｂを取り付ける取付部が溝形状とされると、出っ張り部分が生じない。このような構造は、例えば安全上の観点から好ましい。ただし、棒状部材４２ａ、４２ｂを取り付ける取付部の構造は、別の形態であっても勿論構わない。取付部は、例えば棒状部材４２ａ、４２ｂを引っ掛けるフック構造や、棒状部材４２ａ、４２ｂを挟むクリップ構造等であっても構わない。
【００４１】
次に、本実施形態の身体固定具４０の使用例について、図５及び図６を参照しながら説明する。なお、図５は、本発明の実施形態に係る身体固定具４０の、介護器具１に対する第１の取り付け例を示す模式図である。図６は、本発明の実施形態に係る身体固定具４０の、介護器具１に対する第２の取り付け例を示す模式図である。図５及び図６には、発明の理解を容易とするために、入浴用担架１上に載った要介助者Ｍが示されている。
【００４２】
図５に示すように、身体固定具４０は、要介助者Ｍの固定に使用されない場合には、一方側（この例では右側）の第２フェンス１３２ｂにのみ取り付けておくことができる。具体的には、例えば、上取付部１３２１に一方の棒状部材４２ａを取り付け、下取付部１３２２に他方の棒状部材４２ｂを取り付けることによって、身体固定具４０は第２フェンス１３２ｂに保持することができる。このような構成とすれば、身体固定具４０を片側に寄せられるので、要介助者Ｍの、ベッド等から入浴用担架１への移乗や、入浴用担架１からベッド等への移乗の際に、身体固定具４０が邪魔になることを避けられる。また、移乗のために身体固定具４０を入浴用担架１から完全に取り外してしまう必要がないので、介助者にとって使い勝手が良い。
【００４３】
なお、図５では、要介助者Ｍの移乗を想定して、身体固定具４０が取り付けられない側（左）の第２フェンス１３２ａは、下向きに倒された状態（上述の第２の状態）になっている。
【００４４】
一方、図６に示すように身体固定具４０が要介助者Ｍの固定に使用される場合には、身体固定具４０の一方の棒状部材４２ａは一方側（図６に示す例では右側）の第２フェンス１３２ｂに取り付けられ、他方の棒状部材４２ｂは他方側（図６に示す例では左側）の第２フェンス１３２ａに取り付けられる。なお、各棒状部材４２ａ、４２ｂを上取付部１３２１と下取付部１３２２とのいずれに取り付けるかは、入浴用担架１に載る要介助者Ｍの体格に応じて決定すれば良い。図６に示す例では、比較的小柄な要介助者Ｍが担架１に載っているために、２つの棒状部材４２ａ、４２ｂは、いずれも下取付部１３２２に取り付けられている。
【００４５】
なお、図６に示す例より体格が大きな要介助者Ｍが入浴用担架１に載る場合には、２つの棒状部材４２ａ、４２ｂを、いずれも上取付部１３２１に取り付けるようにしてもよい。また、場合によっては、一方のみを上取付部１３２１に取り付けて、他方は下取付部１３２２に取り付けるようにしても良い。
【００４６】
本実施形態の身体固定具４０は、伸縮性のネット４１を用いて構成されているために、要介助者Ｍの身体に加わる力を分散させることができる。このために、要介助者Ｍに不快感を与えずに、そのサイズを大きくし易い。そして、サイズを大きくできるために、広い範囲で要介助者Ｍの身体を包み込んで、要介助者Ｍを入浴用担架１に安定して固定できる。
【００４７】
また、身体固定具４０は、ネット４１を用いて構成されているために、従来のベルト等に比べて吸水性を下げて乾きやすくできる。また、身体固定具４０は、取り外しが容易であるために、入浴用担架１が複数の要介助者Ｍに交代で使用される場合に、要介助者毎に別の物に付け替えるといった使い方もできる。すなわち、身体固定具４０は、要介助者Ｍが快適に使用し易い。
【００４８】
また、身体固定具４０を用いれば、従来のように、パッドの位置調節やベルトの長さ調節といった調節作業を行わなくて済む。このために、身体固定具４０は、介助者にとっても使い勝手が良い。
【００４９】
以上に示した実施形態は、本発明の例示にすぎない。以上に示した実施形態の構成は、本発明の技術的思想を超えない範囲で適宜変更されて構わない。
【００５０】
例えば、以上に示した実施形態では、各第２フェンス１３２ａ、１３２ｂに設ける取付部の数を２つとした。しかし、これは一例にすぎない。すなわち、各第２フェンス１３２ａ、１３２ｂに設ける取付部の数は１つであってもよいし、３つ以上であっても構わない。また、場合によっては、左右の第２フェンス１３２ａ、１３２ｂで、設ける取付部の数を異ならせてもよい。左右の第２フェンス１３２ａ、１３２ｂの少なくとも一方に設ける取付部の数を複数とすることによって、複数のパターンで身体固定具４０を入浴用担架１に取り付け可能になるので便利である。
【００５１】
また、以上に示した実施形態では、身体固定具４０が第２フェンス１３２ａ、１３２ｂにのみ取り付けられる構成とした。しかし、これは一例にすぎず、身体固定具４０は、他の部分に取り付けられるようにしても構わない。例えば、第１フェンス１３１ａ、１３１ｂに取り付けられるようにしても構わない。場合によっては、複数の身体固定具４０が、入浴用担架１に取り付けられるようにしてもよい。
【００５２】
また、以上に示した実施形態においては、棒状部材４２ａ、４２ｂを利用して、身体固定具４０を入浴用担架１に取り付ける構成とした。しかし、これは例示にすぎない。例えば、棒状部材４２ａ、４２ｂは用いることなく、テープ部材や面ファスナー等を用いて、身体固定具４０を入浴用担架１に取り付けるようにしてもよい。また、入浴用担架１への身体固定具４０の取り付けに棒状部材を用いる場合でも、ネット４１と、棒状部材とは、切り離されて別々の部材とされてもよい。この場合には、棒状部材は、第２フェンス１３２ａ、１３２ｂに設けられる溝或いは貫通穴に嵌め込まれて、ネット４１を押さえる押さえ部材として使用されるようにしてよい。
【００５３】
また、以上では、本発明が入浴用担架１に適用される場合を示した。しかし、これは例示にすぎない。本発明は、人を載せる機能を備える介護器具に広く適用可能である。例えば、本発明は、入浴用車椅子、担架部が分離しないタイプのストレッチャー、入浴用途以外で用いられる担架、立位保持具、シャワーチェア等に広く適用できる。なお、本発明は、入浴用の介護器具に好適である。
【符号の説明】
【００５４】
１  入浴用担架（介護器具）
１０  本体フレーム（支持部の一部）
１１  担架マット（支持部の一部）
４０  身体固定具
４１  ネット
４２ａ、４２ｂ  棒状部材（係合部）
１３２ａ  左の第２フェンス
１３２ｂ  右の第２フェンス
１３２１  上取付部
１３２２  下取付部
【図１】
2017006507.tif 000003
【図２】
2017006507.tif 000004
【図３】
2017006507.tif 000005
【図４】
2017006507.tif 000006
【図５】
2017006507.tif 000007
【図６】
2017006507.tif 000008
【図７】
2017006507.tif 000009